【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
信号を、コードワードサイズを有するポーラ符号化コードワードについて監視することと、前記ポーラ符号化コードワードは符号化された制御情報ベクトルを有する、
前記ポーラ符号化コードワードを含む前記信号に少なくとも部分的に基づいて復号候補ビットシーケンスを決定することと、ここにおいて、前記復号候補ビットシーケンスが、復号仮説に関連し、前記復号仮説は、前記制御情報ベクトルのビット長が前記コードワードサイズについての複数の可能な異なるビット長のうちの特定のビット長であるということであり、
誤り検出コード（ＥＤＣ）アルゴリズムを使用して前記復号候補ビットシーケンスのペイロード部分についてのＥＤＣ値を計算することと、ここにおいて、前記計算することが、少なくとも１つの非０ビットを用いて前記ＥＤＣアルゴリズムについての可変状態を初期化することを備え、前記可変状態はダウンリンク制御情報を符号化するために使用される可変状態に対応する、
前記復号候補ビットシーケンスのＥＤＣ部分と前記ＥＤＣ値とに少なくとも部分的に基づいて、前記復号候補ビットシーケンスの前記ペイロード部分についての復号出力状態を決定することとを備える、方法。
【請求項２】
マスクを用いて前記復号候補ビットシーケンスの前記ＥＤＣ部分をデスクランブルすること、ここにおいて、前記復号出力状態が、前記デスクランブルされたＥＤＣ部分に少なくとも部分的に基づく、をさらに備える、請求項１に記載の方法。
【請求項３】
前記復号出力状態が、前記復号候補ビットシーケンスの前記ＥＤＣ部分と前記ＥＤＣ値との比較に少なくとも部分的に基づく、請求項１に記載の方法。
【請求項４】
前記ＥＤＣ値が前記ペイロード部分のサブセットに対応し、ここにおいて、前記復号出力状態が、前記ペイロード部分の少なくとも最後のビットを復号することより前に前記ペイロード部分の復号を終了することを示す、請求項３に記載の方法。
【請求項５】
前記復号候補ビットシーケンスから第２のＥＤＣ部分を抽出することと、
前記復号候補ビットシーケンスの前記ペイロード部分に少なくとも部分的に基づいて第２のＥＤＣ値を計算することと、ここにおいて、前記復号出力状態が、前記第２のＥＤＣ部分と前記第２のＥＤＣ値との比較に少なくとも部分的に基づく、をさらに備える、請求項３に記載の方法。
【請求項６】
前記復号候補ビットシーケンスの前記ＥＤＣ部分が、前記復号候補ビットシーケンスの前記第２のＥＤＣ部分から１つまたは複数のビットだけ分離される、請求項５に記載の方法。
【請求項７】
前記可変状態が、前記ＵＥの識別子に少なくとも部分的に基づいて初期化される、請求項１に記載の方法。
【請求項８】
前記可変状態が、１に設定された値を各々有する複数のビットを含むように初期化される、請求項１に記載の方法。
【請求項９】
前記復号候補ビットシーケンスの前記ペイロード部分のビットが、複数の制御情報ビットと複数のＥＤＣビットとを備え、
前記ポーラ符号化コードワードを生成するために使用される複数の凍結ビットの各凍結ビットが、０に設定された値を有し、前記初期化された可変状態の複数のビットの各ビットが、１に設定された値を有する、請求項１に記載の方法。
【請求項１０】
前記復号出力状態が、前記復号候補ビットシーケンスから抽出された、復号誤りまたは復号された制御情報を備える、請求項１に記載の方法。
【請求項１１】
ユーザ機器（ＵＥ）によるワイヤレス通信のための方法であって、
信号を、コードワードサイズを有するポーラ符号化コードワードについて監視することと、前記ポーラ符号化コードワードは符号化された制御情報ベクトルを有する、
前記ポーラ符号化コードワードを含む前記信号に少なくとも部分的に基づいて復号候補ビットシーケンスを決定することと、ここにおいて、前記復号候補ビットシーケンスが復号仮説に関連し、前記復号仮説は、前記制御情報ベクトルのビット長が前記コードワードサイズについての複数の可能な異なるビット長のうちの特定のビット長であるということであり、
前記復号候補ビットシーケンスのペイロード部分から誤り検出コード（ＥＤＣ）部分とビットセットとを抽出することと、前記ビットセットがＥＤＣアルゴリズムによって生成され、ここにおいて、前記ＥＤＣアルゴリズムを適用することが少なくとも１つの非０ビット値を用いて前記ＥＤＣアルゴリズムについての可変状態を初期化することを備える、
前記ＥＤＣ部分と前記ビットセットとの間の相関状態を決定することと、
前記相関状態に少なくとも部分的に基づいて早期終了決定を生成することとを備える、方法。
【請求項１２】
ユーザ機器（ＵＥ）によるワイヤレス通信のための方法であって、
信号を、コードワードサイズを有するポーラ符号化コードワードについて監視することと、前記ポーラ符号化コードワードは符号化された制御情報ベクトルを有する、
前記ポーラ符号化コードワードを含む前記信号に少なくとも部分的に基づいて復号候補ビットシーケンスを決定することと、ここにおいて、前記復号候補ビットシーケンスが、復号仮説に関連し、前記復号仮説は、前記制御情報ベクトルのビット長が前記コードワードサイズについての複数の可能な異なるビット長のうちの特定のビット長であるということであり、
前記復号候補ビットシーケンスのペイロード部分が前記ペイロード部分の復号順序の始まりに位置する分界ビットを備えると決定することと、ここにおいて、前記分界ビットは、凍結ビットベクトルの終わりと制御情報ビットベクトルの始まりを示すために１のビット値に設定される、
誤り検出コード（ＥＤＣ）アルゴリズムを使用して前記ペイロード部分についてのＥＤＣ値を計算することと、
前記復号候補ビットシーケンスのＥＤＣ部分と前記ＥＤＣ値とに少なくとも部分的に基づいて、前記復号候補ビットシーケンスの前記ペイロード部分についての復号出力状態を決定することとを備える、方法。
【請求項１３】
ワイヤレス通信のための装置であって、
信号を、コードワードサイズを有するポーラ符号化コードワードについて監視するための手段と、前記ポーラ符号化コードワードは符号化された制御情報ベクトルを有する、
前記ポーラ符号化コードワードを含む前記信号に少なくとも部分的に基づいて復号候補ビットシーケンスを決定するための手段と、ここにおいて、前記復号候補ビットシーケンスが、復号仮説に関連し、前記復号仮説は、前記制御情報ベクトルのビット長が前記コードワードサイズについての複数の可能な異なるビット長のうちの特定のビット長であるということであり、
誤り検出コード（ＥＤＣ）アルゴリズムを使用して前記復号候補ビットシーケンスのペイロード部分についてのＥＤＣ値を計算するための手段と、ここにおいて、計算するための前記手段が、少なくとも１つの非０ビット値を用いて前記ＥＤＣアルゴリズムについての可変状態を初期化するための手段を備え、前記可変状態はダウンリンク制御情報を符号化するために使用される可変状態に対応する、
前記復号候補ビットシーケンスのＥＤＣ部分と前記ＥＤＣ値とに少なくとも部分的に基づいて、前記復号候補ビットシーケンスの前記ペイロード部分についての復号出力状態を決定するための手段とを備える、装置。
【請求項１４】
ワイヤレス通信のための装置であって、
信号を、コードワードサイズを有するポーラ符号化コードワードについて監視するための手段と、前記ポーラ符号化コードワードは符号化された制御情報ベクトルを有する、
前記ポーラ符号化コードワードを含む前記信号に少なくとも部分的に基づいて復号候補ビットシーケンスを決定するための手段と、ここにおいて、前記復号候補ビットシーケンスが、復号仮説に関連し、前記復号仮説は、前記制御情報ベクトルのビット長が前記コードワードサイズについての複数の可能な異なるビット長のうちの特定のビット長であるということであり、
前記復号候補ビットシーケンスのペイロード部分から誤り検出コード（ＥＤＣ）部分とビットセットとを抽出するための手段と、前記ビットセットがＥＤＣアルゴリズムによって生成される、
前記ＥＤＣ部分と前記ビットセットとの間の相関状態を決定するための手段と、
前記相関状態に少なくとも部分的に基づいて早期終了決定を生成するための手段とを備える、装置。
【請求項１５】
ワイヤレス通信のための装置であって、
信号を、コードワードサイズを有するポーラ符号化コードワードについて監視するための手段と、前記ポーラ符号化コードワードは符号化された制御情報ベクトルを有する、
前記ポーラ符号化コードワードを含む前記信号に少なくとも部分的に基づいて復号候補ビットシーケンスを決定するための手段と、ここにおいて、前記復号候補ビットシーケンスが、復号仮説に関連し、前記復号仮説は、前記制御情報ベクトルのビット長が前記コードワードサイズについての複数の可能な異なるビット長のうちの特定のビット長であるということであり、
前記復号候補ビットシーケンスのペイロード部分が前記ペイロード部分の復号順序の始まりに位置する分界ビットを備えると決定するための手段と、ここにおいて、前記分界ビットは、凍結ビットベクトルの終わりと制御情報ビットベクトルの始まりを示すために１のビット値に設定される、
誤り検出コード（ＥＤＣ）アルゴリズムを使用して前記ペイロード部分についてのＥＤＣ値を計算するための手段と、
前記復号候補ビットシーケンスのＥＤＣ部分と前記ＥＤＣ値とに少なくとも部分的に基づいて、前記復号候補ビットシーケンスの前記ペイロード部分についての復号出力状態を決定するための手段とを備える、装置。
【請求項１６】
ワイヤレス通信のためのコードを記憶する非一時的コンピュータ可読媒体であって、前記コードは、請求項１乃至１０，１１または１２のいずれかに記載の方法を実装するために、プロセッサによって実行可能な命令を備える、非一時的コンピュータ可読媒体。
【手続補正２】
【補正対象書類名】明細書
【補正対象項目名】０２８３
【補正方法】変更
【補正の内容】
【０２８３】
[0293]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示された原理および新規の特徴に合致する最も広い範囲を与えられるべきである。
以下に本願の出願当初の特許請求の範囲に記載された発明を付記する。
[Ｃ１］
ユーザ機器（ＵＥ）によるワイヤレス通信のための方法であって、
信号を、コードワードサイズを有するポーラ符号化コードワードについて監視することと、
前記信号に少なくとも部分的に基づいて復号候補ビットシーケンスを決定することと、ここにおいて、前記復号候補ビットシーケンスが、前記コードワードサイズについての複数の異なるビット長のうちの特定のビット長を有する制御情報のための復号仮説に関連する、
誤り検出コード（ＥＤＣ）アルゴリズムを使用して前記復号候補ビットシーケンスのペイロード部分についてのＥＤＣ値を計算することと、ここにおいて、前記計算することが、少なくとも１つの非０ビット値を用いて前記ＥＤＣアルゴリズムについての可変状態を初期化することを備える、
前記復号候補ビットシーケンスのＥＤＣ部分と前記ＥＤＣ値とに少なくとも部分的に基づいて、前記復号候補ビットシーケンスの前記ペイロード部分についての復号出力状態を決定することとを備える、方法。
[Ｃ２］
マスクを用いて前記復号候補ビットシーケンスの前記ＥＤＣ部分をデスクランブルすること、ここにおいて、前記復号出力状態が、前記デスクランブルされたＥＤＣ部分に少なくとも部分的に基づく、をさらに備える、Ｃ１に記載の方法。
[Ｃ３］
前記復号出力状態が、前記復号候補ビットシーケンスの前記ＥＤＣ部分と前記ＥＤＣ値との比較に少なくとも部分的に基づく、Ｃ１に記載の方法。
[Ｃ４］
前記ＥＤＣ値が前記ペイロード部分のサブセットに対応し、ここにおいて、前記復号出力状態が、前記ペイロード部分の少なくとも最後のビットを復号することより前に前記ペイロード部分の復号を終了することを示す、Ｃ３に記載の方法。
[Ｃ５］
前記復号候補ビットシーケンスから第２のＥＤＣ部分を抽出することと、
前記復号候補ビットシーケンスの前記ペイロード部分に少なくとも部分的に基づいて第２のＥＤＣ値を計算することと、ここにおいて、前記復号出力状態が、前記第２のＥＤＣ部分と前記第２のＥＤＣ値との比較に少なくとも部分的に基づく、をさらに備える、Ｃ３に記載の方法。
[Ｃ６］
前記復号候補ビットシーケンスの前記ＥＤＣ部分が、前記復号候補ビットシーケンスの前記第２のＥＤＣ部分から１つまたは複数のビットだけ分離される、Ｃ５に記載の方法。
[Ｃ７］
前記可変状態が、前記ＵＥの識別子に少なくとも部分的に基づいて初期化される、Ｃ１に記載の方法。
[Ｃ８］
前記可変状態が、１に設定された値を各々有する複数のビットを含むように初期化される、Ｃ１に記載の方法。
[Ｃ９］
前記復号候補ビットシーケンスの前記ペイロード部分のビットが、複数の制御情報ビットと複数のＥＤＣビットとを備え、
前記ポーラ符号化コードワードを生成するために使用される複数の凍結ビットの各凍結ビットが、０に設定された値を有し、前記初期化された可変状態の複数のビットの各ビットが、１に設定された値を有する、Ｃ１に記載の方法。
[Ｃ１０］
前記復号出力状態が、前記復号候補ビットシーケンスから抽出された、復号誤りまたは復号された制御情報を備える、Ｃ１に記載の方法。
[Ｃ１１］
ユーザ機器（ＵＥ）によるワイヤレス通信のための方法であって、
信号を、コードワードサイズを有するポーラ符号化コードワードについて監視することと、
前記信号に少なくとも部分的に基づいて復号候補ビットシーケンスを決定することと、ここにおいて、前記復号候補ビットシーケンスが、前記コードワードサイズについての複数の異なるビット長のうちの特定のビット長を有する制御情報のための復号仮説に関連する、
前記復号候補ビットシーケンスのペイロード部分から誤り検出コード（ＥＤＣ）部分とビットセットとを抽出することと、前記ビットセットがＥＤＣアルゴリズムによって生成される、
前記ＥＤＣ部分と前記ビットセットとの間の相関状態を決定することと、
前記相関状態に少なくとも部分的に基づいて早期終了決定を生成することとを備える、方法。
[Ｃ１２］
前記早期終了決定が、前記ペイロード部分の少なくとも最後のビットを復号することより前に前記ペイロード部分の復号を終了することである、Ｃ１１に記載の方法。
[Ｃ１３］
前記早期終了決定が、前記ペイロード部分の復号を続けることである、Ｃ１１に記載の方法。
[Ｃ１４］
前記復号候補ビットシーケンスの第２のＥＤＣ部分を抽出することと、
第２のＥＤＣ値を生成するために、前記復号候補ビットシーケンスの前記ペイロード部分に前記ＥＤＣアルゴリズムを適用することと、
前記復号候補ビットシーケンスの前記第２のＥＤＣ部分と前記第２のＥＤＣ値とに少なくとも部分的に基づいて、前記復号候補ビットシーケンスの前記ペイロード部分についての復号出力状態を決定することとをさらに備える、Ｃ１１に記載の方法。
[Ｃ１５］
前記復号候補ビットシーケンスの前記ＥＤＣ部分が、前記復号候補ビットシーケンスの前記第２のＥＤＣ部分から１つまたは複数のビットだけ分離される、Ｃ１４に記載の方法。
[Ｃ１６］
前記ＥＤＣアルゴリズムを適用することが、
少なくとも１つの非０ビット値を用いて前記ＥＤＣアルゴリズムについての可変状態を初期化することを備える、Ｃ１４に記載の方法。
[Ｃ１７］
前記復号候補ビットシーケンスの前記ペイロード部分のビットが、複数の制御情報ビットと複数のＥＤＣビットとを備え、
前記ポーラ符号化コードワードを生成するために使用される複数の凍結ビットの各凍結ビットが、０に設定された値を有し、前記ＥＤＣアルゴリズムについての初期化された可変状態の複数のビットの各ビットが、１に設定された値を有する、Ｃ１１に記載の方法。
[Ｃ１８］
前記ＥＤＣアルゴリズムを適用することが、
前記第２のＥＤＣ値を生成するために、マスクを用いて、前記ＥＤＣアルゴリズムによって出力された定義されたビット数をスクランブルすることを備える、Ｃ１４に記載の方法。
[Ｃ１９］
前記復号出力状態が、前記復号候補ビットシーケンスから抽出された、復号誤りまたは復号された制御情報を備える、Ｃ１４に記載の方法。
[Ｃ２０］
前記復号候補ビットシーケンスから前記ＥＤＣ部分を抽出することが、
前記復号候補ビットシーケンス内の前記ＥＤＣ部分についての候補ロケーションに対応する、前記復号候補ビットシーケンスから、定義されたビット数を抽出することを備える、Ｃ１５に記載の方法。
[Ｃ２１］
前記候補ロケーションが、前記ペイロード部分の復号順序の始まりにあるか、または前記復号順序の中間にある、Ｃ２０に記載の方法。
[Ｃ２２］
ユーザ機器（ＵＥ）によるワイヤレス通信のための方法であって、
信号を、コードワードサイズを有するポーラ符号化コードワードについて監視することと、
前記信号に少なくとも部分的に基づいて復号候補ビットシーケンスを決定することと、ここにおいて、前記復号候補ビットシーケンスが、前記コードワードサイズについての複数の異なるビット長のうちの特定のビット長を有する制御情報のための復号仮説に関連する、
前記復号候補ビットシーケンスのペイロード部分が前記ペイロード部分の復号順序の始まりに位置する分界ビットを備えると決定することと、
誤り検出コード（ＥＤＣ）アルゴリズムを使用して前記ペイロード部分についてのＥＤＣ値を計算することと、
前記復号候補ビットシーケンスのＥＤＣ部分と前記ＥＤＣ値とに少なくとも部分的に基づいて、前記復号候補ビットシーケンスの前記ペイロード部分についての復号出力状態を決定することとを備える、方法。
[Ｃ２３］
前記復号出力状態が、前記復号候補ビットシーケンスの前記ＥＤＣ部分と前記ＥＤＣ値との比較に少なくとも部分的に基づく、Ｃ２２に記載の方法。
[Ｃ２４］
前記復号出力状態が、前記復号候補ビットシーケンスから抽出された、復号誤りまたは復号された制御情報を備える、Ｃ２２に記載の方法。
[Ｃ２５］
前記ＥＤＣ部分が、前記復号候補ビットシーケンスの第１のＥＤＣ部分と前記復号候補ビットシーケンスの第２のＥＤＣ部分とを備え、
前記復号候補ビットシーケンスの前記第１のＥＤＣ部分が、前記復号候補ビットシーケンスの前記第２のＥＤＣ部分から１つまたは複数のビットだけ分離される、Ｃ２２に記載の方法。
[Ｃ２６］
前記復号候補ビットシーケンスの前記ペイロード部分のビットが、複数の制御情報ビットと複数のＥＤＣビットとを備え、
前記ポーラ符号化コードワードを生成するために使用される複数の凍結ビットの各凍結ビットが、０に設定された値を有し、前記ＥＤＣアルゴリズムについての初期化された可変状態の複数のビットの各ビットが、１に設定された値を有する、Ｃ２２に記載の方法。
[Ｃ２７］
ワイヤレス通信のための装置であって、
信号を、コードワードサイズを有するポーラ符号化コードワードについて監視するための手段と、
前記信号に少なくとも部分的に基づいて復号候補ビットシーケンスを決定するための手段と、ここにおいて、前記復号候補ビットシーケンスが、前記コードワードサイズについての複数の異なるビット長のうちの特定のビット長を有する制御情報のための復号仮説に関連する、
誤り検出コード（ＥＤＣ）アルゴリズムを使用して前記復号候補ビットシーケンスのペイロード部分についてのＥＤＣ値を計算するための手段と、ここにおいて、計算するための前記手段が、少なくとも１つの非０ビット値を用いて前記ＥＤＣアルゴリズムについての可変状態を初期化するための手段を備える、
前記復号候補ビットシーケンスのＥＤＣ部分と前記ＥＤＣ値とに少なくとも部分的に基づいて、前記復号候補ビットシーケンスの前記ペイロード部分についての復号出力状態を決定するための手段とを備える、装置。
[Ｃ２８］
マスクを用いて前記復号候補ビットシーケンスの前記ＥＤＣ部分をデスクランブルするための手段、ここにおいて、前記復号出力状態が、前記デスクランブルされたＥＤＣ部分に少なくとも部分的に基づく、をさらに備える、Ｃ２７に記載の装置。
[Ｃ２９］
前記復号出力状態が、前記復号候補ビットシーケンスの前記ＥＤＣ部分と前記ＥＤＣ値との比較に少なくとも部分的に基づく、Ｃ２７に記載の装置。
[Ｃ３０］
前記ＥＤＣ値が前記ペイロード部分のサブセットに対応し、ここにおいて、前記復号出力状態が、前記ペイロード部分の少なくとも最後のビットを復号することより前に前記ペイロード部分の復号を終了することを示す、Ｃ２９に記載の装置。
[Ｃ３１］
前記復号候補ビットシーケンスから第２のＥＤＣ部分を抽出するための手段と、
前記復号候補ビットシーケンスの前記ペイロード部分に少なくとも部分的に基づいて第２のＥＤＣ値を計算するための手段と、ここにおいて、前記復号出力状態が、前記第２のＥＤＣ部分と前記第２のＥＤＣ値との比較に少なくとも部分的に基づく、をさらに備える、Ｃ２９に記載の装置。
[Ｃ３２］
前記復号候補ビットシーケンスの前記ＥＤＣ部分が、前記復号候補ビットシーケンスの前記第２のＥＤＣ部分から１つまたは複数のビットだけ分離される、Ｃ３１に記載の装置。
[Ｃ３３］
前記可変状態が、ユーザ機器の識別子に少なくとも部分的に基づいて初期化される、Ｃ２７に記載の装置。
[Ｃ３４］
前記可変状態が、１に設定された値を各々有する複数のビットを含むように初期化される、Ｃ２７に記載の装置。
[Ｃ３５］
前記復号候補ビットシーケンスの前記ペイロード部分のビットが、複数の制御情報ビットと複数のＥＤＣビットとを備え、
前記ポーラ符号化コードワードを生成するために使用される複数の凍結ビットの各凍結ビットが、０に設定された値を有し、前記初期化された可変状態の複数のビットの各ビットが、１に設定された値を有する、Ｃ２７に記載の装置。
[Ｃ３６］
前記復号出力状態が、前記復号候補ビットシーケンスから抽出された、復号誤りまたは復号された制御情報を備える、Ｃ２７に記載の装置。
[Ｃ３７］
ワイヤレス通信のための装置であって、
信号を、コードワードサイズを有するポーラ符号化コードワードについて監視するための手段と、
前記信号に少なくとも部分的に基づいて復号候補ビットシーケンスを決定するための手段と、ここにおいて、前記復号候補ビットシーケンスが、前記コードワードサイズについての複数の異なるビット長のうちの特定のビット長を有する制御情報のための復号仮説に関連する、
前記復号候補ビットシーケンスのペイロード部分から誤り検出コード（ＥＤＣ）部分とビットセットとを抽出するための手段と、前記ビットセットがＥＤＣアルゴリズムによって生成される、
前記ＥＤＣ部分と前記ビットセットとの間の相関状態を決定するための手段と、
前記相関状態に少なくとも部分的に基づいて早期終了決定を生成するための手段とを備える、装置。
[Ｃ３８］
前記早期終了決定が、前記ペイロード部分の少なくとも最後のビットを復号することより前に前記ペイロード部分の復号を終了することである、Ｃ３７に記載の装置。
[Ｃ３９］
前記早期終了決定が、前記ペイロード部分の復号を続けることである、Ｃ３７に記載の装置。
[Ｃ４０］
前記復号候補ビットシーケンスの第２のＥＤＣ部分を抽出するための手段と、
第２のＥＤＣ値を生成するために、前記復号候補ビットシーケンスの前記ペイロード部分に前記ＥＤＣアルゴリズムを適用するための手段と、
前記復号候補ビットシーケンスの前記第２のＥＤＣ部分と前記第２のＥＤＣ値とに少なくとも部分的に基づいて、前記復号候補ビットシーケンスの前記ペイロード部分についての復号出力状態を決定するための手段とをさらに備える、Ｃ３７に記載の装置。
[Ｃ４１］
前記復号候補ビットシーケンスの前記ＥＤＣ部分が、前記復号候補ビットシーケンスの前記第２のＥＤＣ部分から１つまたは複数のビットだけ分離される、Ｃ４０に記載の装置。
[Ｃ４２］
前記ＥＤＣアルゴリズムを適用するための前記手段が、
少なくとも１つの非０ビット値を用いて前記ＥＤＣアルゴリズムについての可変状態を初期化するための手段をさらに備える、Ｃ４０に記載の装置。
[Ｃ４３］
前記ＥＤＣアルゴリズムを適用するための前記手段が、
前記第２のＥＤＣ値を生成するために、マスクを用いて、前記ＥＤＣアルゴリズムによって出力された定義されたビット数をスクランブルするための手段をさらに備える、Ｃ４０に記載の装置。
[Ｃ４４］
前記復号出力状態が、前記復号候補ビットシーケンスから抽出された、復号誤りまたは復号された制御情報を備える、Ｃ４０に記載の装置。
[Ｃ４５］
前記復号候補ビットシーケンスから前記ＥＤＣ部分を抽出するための前記手段が、
前記復号候補ビットシーケンス内の前記ＥＤＣ部分についての候補ロケーションに対応する、前記復号候補ビットシーケンスから、定義されたビット数を抽出するための手段をさらに備える、Ｃ３７に記載の装置。
[Ｃ４６］
前記候補ロケーションが、前記ペイロード部分の復号順序の始まりにあるか、または前記復号順序の中間にある、Ｃ４５に記載の装置。
[Ｃ４７］
前記復号候補ビットシーケンスの前記ペイロード部分のビットが、複数の制御情報ビットと複数のＥＤＣビットとを備え、
前記ポーラ符号化コードワードを生成するために使用される複数の凍結ビットの各凍結ビットが、０に設定された値を有し、前記ＥＤＣアルゴリズムについての初期化された可変状態の複数のビットの各ビットが、１に設定された値を有する、Ｃ３７に記載の装置。
[Ｃ４８］
ワイヤレス通信のための装置であって、
信号を、コードワードサイズを有するポーラ符号化コードワードについて監視するための手段と、
前記信号に少なくとも部分的に基づいて復号候補ビットシーケンスを決定するための手段と、ここにおいて、前記復号候補ビットシーケンスが、前記コードワードサイズについての複数の異なるビット長のうちの特定のビット長を有する制御情報のための復号仮説に関連する、
前記復号候補ビットシーケンスのペイロード部分が前記ペイロード部分の復号順序の始まりに位置する分界ビットを備えると決定するための手段と、
誤り検出コード（ＥＤＣ）アルゴリズムを使用して前記ペイロード部分についてのＥＤＣ値を計算するための手段と、
前記復号候補ビットシーケンスのＥＤＣ部分と前記ＥＤＣ値とに少なくとも部分的に基づいて、前記復号候補ビットシーケンスの前記ペイロード部分についての復号出力状態を決定するための手段とを備える、装置。
[Ｃ４９］
前記復号出力状態が、前記復号候補ビットシーケンスの前記ＥＤＣ部分と前記ＥＤＣ値との比較に少なくとも部分的に基づく、Ｃ４８に記載の装置。
[Ｃ５０］
前記復号出力状態が、前記復号候補ビットシーケンスから抽出された、復号誤りまたは復号された制御情報を備える、Ｃ４８に記載の装置。
[Ｃ５１］
前記ＥＤＣ部分が、前記復号候補ビットシーケンスの第１のＥＤＣ部分と前記復号候補ビットシーケンスの第２のＥＤＣ部分とを備え、
前記復号候補ビットシーケンスの前記第１のＥＤＣ部分が、前記復号候補ビットシーケンスの前記第２のＥＤＣ部分から１つまたは複数のビットだけ分離される、Ｃ４８に記載の装置。
[Ｃ５２］
前記復号候補ビットシーケンスの前記ペイロード部分のビットが、複数の制御情報ビットと複数のＥＤＣビットとを備え、
前記ポーラ符号化コードワードを生成するために使用される複数の凍結ビットの各凍結ビットが、０に設定された値を有し、前記ＥＤＣアルゴリズムについての初期化された可変状態の複数のビットの各ビットが、１に設定された値を有する、Ｃ４８に記載の装置。
[Ｃ５３］
プロセッサと、
前記プロセッサと電子通信しているメモリと、
前記メモリに記憶された命令とを備える、ワイヤレス通信のための装置であって、前記命令は、前記プロセッサによって実行されたとき、前記装置に、
信号を、コードワードサイズを有するポーラ符号化コードワードについて監視することと、
前記信号に少なくとも部分的に基づいて復号候補ビットシーケンスを決定することと、ここにおいて、前記復号候補ビットシーケンスが、前記コードワードサイズについての複数の異なるビット長のうちの特定のビット長を有する制御情報のための復号仮説に関連する、
誤り検出コード（ＥＤＣ）アルゴリズムを使用して前記復号候補ビットシーケンスのペイロード部分についてのＥＤＣ値を計算することと、ここにおいて、前記計算することが、少なくとも１つの非０ビット値を用いて前記ＥＤＣアルゴリズムについての可変状態を初期化することを備える、
前記復号候補ビットシーケンスのＥＤＣ部分と前記ＥＤＣ値とに少なくとも部分的に基づいて、前記復号候補ビットシーケンスの前記ペイロード部分についての復号出力状態を決定することとを行わせるように動作可能である、装置。
[Ｃ５４］
ワイヤレス通信のためのコードを記憶する非一時的コンピュータ可読媒体であって、前記コードは、
信号を、コードワードサイズを有するポーラ符号化コードワードについて監視することと、
前記信号に少なくとも部分的に基づいて復号候補ビットシーケンスを決定することと、ここにおいて、前記復号候補ビットシーケンスが、前記コードワードサイズについての複数の異なるビット長のうちの特定のビット長を有する制御情報のための復号仮説に関連する、
誤り検出コード（ＥＤＣ）アルゴリズムを使用して前記復号候補ビットシーケンスのペイロード部分についてのＥＤＣ値を計算することと、ここにおいて、前記計算することが、少なくとも１つの非０ビット値を用いて前記ＥＤＣアルゴリズムについての可変状態を初期化することを備える、
前記復号候補ビットシーケンスのＥＤＣ部分と前記ＥＤＣ値とに少なくとも部分的に基づいて、前記復号候補ビットシーケンスの前記ペイロード部分についての復号出力状態を決定することとを行うために、プロセッサによって実行可能な命令を備える、非一時的コンピュータ可読媒体。